(57)【要約】【課題】商品等が包装容器に収容されていたとしても、盗難を防止することができる盗難警報装置を提供する。【解決手段】包装容器に取り付けられる盗難警報装置１である。盗難警報装置１は、間隔をあけて配された第１電極２１及び第２電極２２と、包装容器に巻かれた導体を第１電極２１及び第２電極２２に接触させて、第１電極２１と第２電極２２との間に電流を流す導体固定部３０と、第１電極２１と第２電極２２との間を流れる電流を検出する導通センサと、警報を発する警報機と、を備える。導通センサが検出していた電流を検出しなくなったときに警報機から警報を発する。【選択図】図１
2018077745.tif 000002
【特許請求の範囲】
【請求項１】
包装容器に取り付けられる盗難警報装置であって、
間隔をあけて配された第１電極及び第２電極と、
前記包装容器に巻かれた導体を前記第１電極及び前記第２電極に接触させて、該第１電極と該第２電極との間に電流を流す導体固定部と、
前記第１電極と前記第２電極との間を流れる電流を検出する導通センサと、
警報を発する警報機と、を備え、
前記導通センサが検出していた電流を検出しなくなったときに前記警報機から警報を発する、
ことを特徴とする盗難警報装置。
【請求項２】
前記包装容器に巻かれて固定される、前記導体を有するバンドを備えることを特徴とする請求項１に記載の盗難警報装置。
【請求項３】
前記バンドの１つの面には、金属製のテープからなる前記導体が貼付されていることを特徴とする請求項２に記載の盗難警報装置。
【請求項４】
前記バンドは、前記導体が前記包装容器に接触する向きで該包装容器に巻かれ、両端から所定長ラップさせて接合されており、
前記第１電極と前記第２電極との間には、前記導体の一方の端部が位置していることを特徴とする請求項３に記載の盗難警報装置。
【請求項５】
前記導体固定部は、前記バンドを挟みこんで固定し、少なくとも一方の面には該バンドを押圧する突起が形成されていることを特徴とする請求項２〜４のいずれか１項に記載の盗難警報装置。
【請求項６】
前記バンドと前記包装容器との間に差し込ませるための傾斜面が形成されていることを特徴とする請求項２〜５のいずれか１項に記載の盗難警報装置。
【請求項７】
前記包装容器との接触を検出する底面スイッチを備えることを特徴とする請求項１〜６のいずれか１項に記載の盗難警報装置。
【発明の詳細な説明】
【技術分野】
【０００１】
本発明は、商品等が盗難される際に警報を報知する盗難警報装置に関する。
【背景技術】
【０００２】
商品等が盗難される際に警報を報知する盗難警報装置としては種々のものが開発され、実用化されている。
【０００３】
例えば、特許文献１には、光の明暗を検出する光センサと、振動を検出する振動センサと、商品から盗難警報装置が離脱したことを検出する商品離脱検出センサと、を備えた盗難警報装置が開示されている。この盗難警報装置は、各センサからの信号が所定の信号に変化すると警報ブザーを介して警報音を発する。
【先行技術文献】
【特許文献】
【０００４】
【特許文献１】特開２０００−８２１８５号公報
【発明の概要】
【発明が解決しようとする課題】
【０００５】
しかしながら、特許文献１に開示の盗難警報装置は、商品が段ボール等の包装容器に収容されていると、包装容器に取り付けなければならないが、包装容器から商品が抜き出された場合には警報音を発することができず、盗難を防止することができない。
【０００６】
本発明は、このような問題点に着目してなされたもので、商品等が包装容器に収容されていたとしても、盗難を防止することができる盗難警報装置を提供することを目的とする。
【課題を解決するための手段】
【０００７】
上記目的を達成するため、本願の第１の観点に係る盗難警報装置は、包装容器（例えば、段ボール７０）に取り付けられる盗難警報装置（例えば、盗難警報装置１）であって、間隔をあけて配された第１電極（例えば、第１電極２１）及び第２電極（例えば、第２電極２２）と、前記包装容器に巻かれた導体（例えば、アルミテープ６２）を前記第１電極及び前記第２電極に接触させて、該第１電極と該第２電極との間に電流を流す導体固定部（例えば、蓋ケース３０）と、前記第１電極と前記第２電極との間を流れる電流を検出する導通センサ（例えば、導通センサ２８）と、警報を発する警報機（例えば、ブザー２９）と、を備え、前記導通センサが検出していた電流を検出しなくなったときに前記警報機から警報を発する、ことを特徴とする。
【０００８】
前記包装容器に巻かれて固定される、前記導体を有するバンド（例えば、梱包バンド６０）を備えるようにしてもよい。
【０００９】
前記バンドの１つの面には、金属製のテープからなる前記導体が貼付されていてもよい。
【００１０】
前記バンドは、前記導体が前記包装容器に接触する向きで該包装容器に巻かれ、両端から所定長ラップさせて接合されており、前記第１電極と前記第２電極との間には、前記導体の一方の端部が位置していてもよい。
【００１１】
前記導体固定部は、前記バンドを挟みこんで固定し、少なくとも一方の面には該バンドを押圧する突起（例えば、バンド押え突起３２）が形成されていてもよい。
【００１２】
前記バンドと前記包装容器との間に差し込ませるための傾斜面（例えば、傾斜面１４ａ、１４ｂ）が形成されていてもよい。
【００１３】
前記包装容器との接触を検出する底面スイッチ（例えば、底面スイッチ１１）を備えていてもよい。
【発明の効果】
【００１４】
本発明によれば、商品等が包装容器に収容されていたとしても、盗難を防止することができる盗難警報装置を提供することができる。
【図面の簡単な説明】
【００１５】
【図１】本発明の実施形態に係る盗難警報装置の斜視図であり、（ａ）は開閉蓋を閉じた状態の斜視図、（ｂ）は開閉蓋を開いた状態の斜視図。
【図２】本発明の実施形態に係る盗難警報装置の分解斜視図。
【図３】本発明の実施形態に係る盗難警報装置の断面図であり、（ａ）は図１（ｂ）中の矢視ＩＩＩａ−ＩＩＩａからみた断面図、（ｂ）は図１（ａ）中の矢視ＩＩＩｂ−ＩＩＩｂからみた断面図。
【図４】本発明の実施形態に係る盗難警報装置のブロック図。
【図５】盗難警報装置の取付方法を示した説明図。
【図６】図５に続く盗難警報装置の取付方法を示した説明図。
【図７】図６に続く盗難警報装置の取付方法を示した説明図。
【図８】盗難警報装置の警報動作を示すフローチャート。
【発明を実施するための形態】
【００１６】
以下、本発明の実施形態に係る盗難警報装置について、図面を参照しながら説明する。図１は、本発明の実施形態に係る盗難警報装置の斜視図であり、（ａ）は開閉蓋を閉じた状態の斜視図、（ｂ）は開閉蓋を開いた状態の斜視図である。また、図２は、本発明の実施形態に係る盗難警報装置の分解斜視図である。また、図３は、本発明の実施形態に係る盗難警報装置の断面図であり、（ａ）は図１（ｂ）中の矢視ＩＩＩａ−ＩＩＩａからみた断面図、（ｂ）は図１（ａ）中の矢視ＩＩＩｂ−ＩＩＩｂからみた断面図である。
【００１７】
盗難警報装置１は、図１に示すように、基板収容ケース１０と蓋ケース３０とが組み合わされて、その外観が概略構成されている。基板収容ケース１０の内部には、基板収容空間１６が形成されている。図２に示すように、この基板収容空間１６に、各種センサや回路が搭載された検出基板２０が収容される。なお、盗難警報装置１は、後述するように包装容器の一例である段ボール上に、基板収容ケース１０が接するように設置される。
【００１８】
基板収容ケース１０は、例えば合成樹脂が一体成型されて構成されている。基板収容ケース１０は、基板収容空間１６を区画する対向する二つの垂直面１７ａ、１７ｂと対向する二つの傾斜面１４ａ、１４ｂとを有している。このように対向する二つの傾斜面１４ａ、１４ｂを有しているため、垂直面１７ａ、１７ｂ側からみると基板収容ケース１０は台形状を呈している。垂直面１７ａ、１７ｂには、６つの長孔状の採光口１０ａ、１０ｂが形成されている。これらの採光口１０ａ、１０ｂから外光を取り込むことができるため、基板収容ケース１０の内部の明るさは、盗難警報装置１の周囲の明るさに応じて変化する。また、垂直面１７ａ、１７ｂの内面、及び傾斜面１４ａ、１４ｂの内面には、検出基板２０を載置するための基板載置部１３が突出して形成されている。また、基板収容ケース１０の下部には、接続線Ｌ（図３（ｂ））を中心に回動する底面スイッチ１１が形成されている。底面スイッチ１１は、図示しない板バネにより、基板収容ケース１０から離れる方向に付勢されている（図３（ｂ）に示すように、基板収容ケース１０から離れるように）。底面スイッチ１１には、接触端子１２（図３（ｂ））が設けられている。盗難警報装置１が段ボール上に載置されると、底面スイッチ１１は図示しない板バネの付勢力に抗して検出基板２０側に向けて回動する。これにより、接触端子１２は、検出基板２０に設けられたタッチセンサ２７に接触する。また、基板収容ケース１０には、開閉蓋３１を係止するための突起である係止部１５が形成されている。
【００１９】
検出基板２０は、基板載置部１３に載置、固定され、基板収容ケース１０内に収容される。検出基板２０は、第１電極２１及び第２電極２２と、第１電極２１と第２電極２２との間を流れる電流を検出する導通センサ２８と、周囲の光の明暗を検出して電気信号に変換する光センサ２４と、振動を検出して電気信号に変換する振動センサ２３と、ボタン電池（不図示）を保持可能な電池ホルダ２６と、底面スイッチ１１に設けられた接触端子１２との接触の有無を検出するタッチセンサ２７と、警告音を発するブザー２９と、演算処理部（ＣＰＵ）、記憶部（ＲＡＭ、ＲＯＭ）、入出力インターフェース等を備えた信号処理部４０（図４、マイクロコンピュータ）と、を有している。
【００２０】
第１電極２１及び第２電極２２は、門型に形成され、基板本体５０に間隔をあけて配置されている。同様に、導通センサ２８、光センサ２４、振動センサ２３、電池ホルダ２６、タッチセンサ２７、信号処理部４０（図４、マイクロコンピュータ）も基板本体５０上に設けられている。光センサ２４は、垂直面１７ａの採光口１０ａ及び垂直面１７ｂの採光口１０ｂから入射する光を受光する。電池ホルダ２６は、ボタン式電池（不図示）を保持し、検出基板２０に搭載された各種センサ及び回路に電気を供給する。電池ホルダ２６は、保持するボタン式電池（不図示）を交換可能な構成を有している。
【００２１】
蓋ケース３０は、例えば合成樹脂が一体成型されて構成されている。蓋ケース３０は、基板収容ケース１０の上部を覆うカバー体３５と、カバー体３５に対して開閉可能に取り付けられた開閉蓋３１とを有している。
【００２２】
カバー体３５には、第１電極２１を挿通し突出させる電極挿通孔３３ａと、第２電極２２を挿通し突出させる電極挿通孔３３ｂとが形成されている。これにより、図１（ｂ）に示すように、カバー体３５が基板収容ケース１０の上部に設置されると、第１電極２１及び第２電極２２が各電極挿通孔を介してカバー体３５から突出する。
【００２３】
開閉蓋３１は、カバー体３５の一辺に回動可能に取り付けられ、図１（ａ）に示す閉じた状態と、図１（ｂ）に示す開いた状態との間で変化する。開閉蓋３１が閉じた状態にある場合、カバー体３５との隙間に後述する梱包バンド６０（図５）を挿通するためのバンド挿通空間３６が形成される。開閉蓋３１には、音を発しているブザーを表した警報用開口３１ａが形成されている。警報用開口３１ａが形成されていることにより、盗難行為を行うと盗難警報装置１から警報音が発せられることを認識させ商品の盗難を思いとどまらせることができる。また、ブザー２９から発せられた警報音を外部に発しやすくすることができる。また、開閉蓋３１が閉じた状態の時にカバー体３５に対向する面には、三角形状の突起であるバンド押え突起３２が形成されている。バンド押え突起３２の先端を細くすることにより、バンド挿通空間３６に挿通された梱包バンド６０にバンド押え突起３２を食い込ませることができ、梱包バンド６０を盗難警報装置１に固定することができる。さらに、梱包バンド６０を、第１電極２１及び第２電極２２に押し付けることができる。これにより、梱包バンド６０と第１電極２１及び第２電極２２との接触を確実なものとすることができる。また、開閉蓋３１には、係止孔３４が形成されている。開閉蓋３１が閉じた状態になると、この係止孔３４に基板収容ケース１０に形成された係止部１５が引っ掛かる。これにより、開閉蓋３１の閉じた状態が保持される。このように、蓋ケース３０は、後述するアルミテープ６２（図５）を有する梱包バンド６０の固定部として機能する。
【００２４】
図４は、本発明の実施形態に係る盗難警報装置のブロック図である。盗難警報装置１は、導通センサ２８、光センサ２４、振動センサ２３、タッチセンサ２７、信号処理部４０、及びブザー２９を有している。導通センサ２８は、第１電極２１と第２電極２２との間を流れる電流を検出するセンサである。導通センサ２８は、電流の有無を電気信号に変換し信号処理部４０に送信することのできる公知のセンサを用いることができる。振動センサ２３は、盗難警報装置１が取り付けられた段ボールが持ち運ばれている際に生じる振動を検知することができ、好ましくは全方位の振動を検知できる振動センサの中から選択するのがよい。振動センサ２３は、検知した信号を電気信号に変換し、信号処理部４０に送信する。光センサ２４は、周囲の明暗を電気信号に変換し、信号処理部４０に送信する。光センサ２４は、公知のセンサの中から選択することができる。タッチセンサ２７は、接触端子１２の接触の有無を電気信号に変換し、信号処理部４０に送信する。信号処理部４０には、導通センサ２８、振動センサ２３、光センサ２４、タッチセンサ２７から電気信号が入力される。信号処理部４０は、記憶されたプログラムに従い、これらの電気信号が所定の条件を満たした場合、ブザー２９に信号を発し、ブザー２９から警報音を発する。また、信号処理部４０は、導通センサ２８が電流を検知したことを条件に、振動センサ２３、光センサ２４、及びタッチセンサ２７を起動する。このように、信号処理部４０は、検出基板２０に搭載された各センサや装置の動作を制御する。
【００２５】
次に、盗難警報装置１の取り付け方法について説明する。図５〜図７は、盗難警報装置の取付方法を取り付け順に示した説明図である。図５に示すように、商品（不図示）は段ボール７０内に収容され、蓋がされる。段ボール７０には、蓋の突き合せラインに直交するように、梱包バンド６０が巻き回される。梱包バンド６０は、例えばポリプロピレン製のバンド本体６１と、バンド本体６１の一つの面に貼られた帯状のアルミテープ６２とから構成されている。梱包バンド６０を段ボール７０に巻く場合、アルミテープ６２が貼られた面は、段ボール７０に接触する向きにされる。
【００２６】
続いて、図６に示すように、梱包バンド６０を所定長Ｌだけラップさせることのできる位置で切断し、熱を加えて溶着する。これにより、梱包バンド６０が段ボール７０を一周だけ巻き回した状態で固定され、段ボール７０の開閉が防止される。このように固定された梱包バンド６０には適度な張力を作用させるのがよい。これにより、段ボール７０が梱包バンド６０から抜け出るのを防止することができる。なお、図６の拡大図で示すように、梱包バンド６０を所定長Ｌだけラップさせた範囲においては、アルミテープ６２（図６）も同様にラップする。しかしながら、ラップしたアルミテープ６２間にはバンド本体６１が介在するため、両者は何ら接触しておらず電気的に接続されていない。
【００２７】
続いて、開いた状態にした盗難警報装置１（図１（ｂ））の傾斜面１４ａ（あるいは傾斜面１４ｂ）を、段ボール７０と梱包バンド６０との隙間に差し込む。そして、梱包バンド６０がカバー体３５の上部の所定位置にくるまで、盗難警報装置１を差し込む。この時、ラップする範囲にある梱包バンド６０において、段ボール７０側にある梱包バンド６０の端部６０ａが、盗難警報装置１の略中央に位置するように盗難警報装置１を配置する。このように盗難警報装置１を配置すると、梱包バンド６０の端部６０ａは、第１電極２１と第２電極２２との間に配されることになる。この状態で、開閉蓋３１を回動させて閉じた状態に移行させる。これにより、図７に示すように、盗難警報装置１は、梱包バンド６０を挟み込み、段ボール７０上にセットされる。このとき、開閉蓋３１に形成されたバンド押え突起３２（図１（ｂ））が、梱包バンド６０をカバー体３５に押さえつける。これにより、梱包バンド６０のアルミテープ６２が、第１電極２１及び第２電極２２に接触する。なお、上述したように、梱包バンド６０がラップした範囲においては、ラップしたアルミテープ６２は互いに接触していない。そのため、第１電極２１と第２電極２２との間の電流は、アルミテープ６２の段ボール７０を略一周巻いた部分を介して流れることになる。そのため、梱包バンド６０が、盗難警報装置１により覆われた部分以外で切断されると、電流が流れなくなってしまう。また、盗難警報装置１が段ボール７０上に設置すると、底面スイッチ１１は、図示しない板ばねの付勢力に抗して、検出基板２０側に向けて回動する。これにより、底面スイッチ１１に設けられた接触端子１２は、検出基板２０のタッチセンサ２７に接触した状態となる。
【００２８】
次に、盗難警報装置１の具体的な動作について説明する。図８は、盗難警報装置の警報動作を示すフローチャートである。
【００２９】
まず、信号処理部４０は、第１電極２１と第２電極２２との間に電流が流れているか否かを判定する（Ｓ１０１）。信号処理部４０は、導通センサ２８から電流を検出したことを示す信号を受信すると（Ｓ１０１：Ｙｅｓ）、振動センサ２３、光センサ２４、及びタッチセンサ２７を起動する（Ｓ１０２）。一方、信号処理部４０は、導通センサ２８から電流を検出したことを示す信号を受信しない場合（Ｓ１０１：Ｎｏ）、処理を終了する。
【００３０】
次に、信号処理部４０は、第１電極２１と第２電極２２との間に流れていた電極が流れなくなったか否かを判定する（Ｓ１０３）。信号処理部４０は、導通センサ２８から流れていた電流を検出しなくなったことを示す信号を受信すると（Ｓ１０３：Ｙｅｓ）、ブザー２９から警報音を発する。ここで、電流を検出しなくなる場合とは、梱包バンド６０が切断されアルミテープ６２に電流が流れなくなった場合、あるいは、開閉蓋３１が開けられ盗難警報装置１が梱包バンド６０から取り外された場合等が想定される。これらの不正が想定される場合には、信号処理部４０は即座にブザー２９から警報音を発する。
【００３１】
導通センサ２８が流れていた電流を検知している場合（Ｓ１０３：Ｎｏ）、信号処理部４０は、タッチセンサ２７と接触端子１２とが接触しているか否かを判定する（Ｓ１０４）。信号処理部４０は、タッチセンサ２７から接触端子１２との接触を検出しなくなったことを示す信号を受信すると（Ｓ１０４：Ｎｏ）、ブザー２９から警報音を発する。ここで、タッチセンサ２７と接触端子１２とが接触しなくなる場合とは、中身の商品をとるために段ボール７０の蓋が破られた場合、あるいは、盗難警報装置１が取り付けられた梱包バンド６０から段ボール７０が抜き出された場合等が想定される。これらの不正が想定される場合には、信号処理部４０は即座にブザー２９から警報音を発する。
【００３２】
タッチセンサ２７が、接触端子１２との接触を検出している場合（Ｓ１０３：Ｙｅｓ）、信号処理部４０は盗難警報装置１が振動しているか否かを判定する（Ｓ１０５）。信号処理部４０は、振動センサ２３から振動を検出したことを示す信号を受信すると（Ｓ１０５：Ｙｅｓ）、盗難警報装置１の周囲が暗くなったか否かを判定する（Ｓ１０６）。信号処理部４０は、光センサ２４から暗を示す信号を受信すると（Ｓ１０６：Ｙｅｓ）、ブザー２９から警報音を発する。このように、盗難警報装置１は、振動センサ２３で振動を検出し、かつ、光センサ２４が暗を検出することを条件に、ブザー２９から警報音を発する。ここで、振動センサ２３が振動を検出する場合とは、盗難警報装置１が取り付けられた段ボール７０が運び出されている場合等が想定される。また、光センサ２４が暗を検出する場合とは、盗難警報装置１が取り付けられた段ボール７０がカバン等に入れられて周囲が暗くなった場合等が想定される。
【００３３】
一方、振動センサ２３が振動を検出しない場合（Ｓ１０５：Ｎｏ）、及び振動センサ２３が振動を検出した（Ｓ１０５：Ｙｅｓ）ものの光センサ２４が暗を検出しない場合（Ｓ１０６：Ｎｏ）、信号処理部４０はステップをＳ１０３に戻す。この場合には、盗難警報装置１のブザー２９はならない。商品が入った段ボール７０を持ちレジに移動する際の振動だけでブザー２９をならすのは不適切である。また、閉店後の消灯によって暗を検出しただけでブザー２９をならすのも不適切である。そこで、振動の検出と暗の検出との両方の条件が満たされた場合にブザー２９から警報音を発するようにしている。
【００３４】
以上説明したように、本発明の実施形態に係る盗難警報装置１においては、段ボール７０に巻かれた梱包バンド６０のアルミテープ６２（導体）に電流を流す盗難警報装置１が取り付けられている。これにより、段ボール７０内の商品を取り出すために梱包バンド６０が切断されたり、盗難警報装置１が梱包バンド６０から取り外されたりすると即座に警報音を発する。これにより、商品の盗難を防止することができる。
【００３５】
また、梱包バンド６０をラップさせてこのラップした範囲を溶着し、段ボール７０側にある梱包バンド６０の端部６０ａが、盗難警報装置１の略中央に位置するように盗難警報装置１を配置している。そのため、第１電極２１と第２電極２２との間の電流は、アルミテープ６２の段ボール７０を略一周巻いた部分を介して流れることになる。これにより、梱包バンド６０が、盗難警報装置１により覆われた部分以外であればいずれの箇所で切断されても電流が流れなくなり、より確実に異常を検出することができる。
【００３６】
また、盗難警報装置１は、段ボール７０との接触を検知する底面スイッチ１１を有している。これにより、中身の商品をとるために段ボール７０の蓋が破られた場合や、盗難警報装置１が取り付けられた梱包バンド６０から段ボール７０が抜き出された場合に、即座にブザー２９から警報音を発することができる。これにより、商品の盗難を防止することができる。
【００３７】
また、底面スイッチ１１は、盗難警報装置１の長手方向に沿った方向に自身の長手方向が設定されている。すなわち、図３（ｂ）において、底面スイッチ１１は、図中左右方向に長い。一般に段ボール７０は、衝撃でつぶれたり、中身が詰まっていなければ凹んだりするなどの不具合が生じることがある。そこで、盗難警報装置１が設置された箇所にこのような不具合が生じただけで、タッチセンサ２７と接触端子１２との接触が解除されにくくするために、底面スイッチ１１の長さを十分に確保している。
【００３８】
また、開閉蓋３１のカバー体３５に対する面には、先端が細くなった三角形状の突起であるバンド押え突起３２が形成されている。これにより、バンド挿通空間３６に挿通された梱包バンド６０にバンド押え突起３２を食い込ませることができ、梱包バンド６０を盗難警報装置１に固定することができる。さらに、梱包バンド６０を、第１電極２１及び第２電極２２に押し付けることができ、アルミテープ６２と第１、第２電極２１、２２との接触を確実なものとすることができる。
【００３９】
また、盗難警報装置１は、対向する二つの傾斜面１４ａ、１４ｂを有している。これにより、段ボール７０と、段ボール７０に締めまわされた梱包バンド６０との隙間に、容易に盗難警報装置１（図１（ｂ））の傾斜面１４ａ（あるいは傾斜面１４ｂ）を、差し込むことができる。これにより、盗難警報装置１の設置を容易に実行することができる。
【００４０】
また、振動センサ２３による振動の検出と、光センサ２４による暗の検出との両方の条件が満たされなければ、ブザー２９から警告音を発しないように設定されている。これにより、商品が入った段ボール７０を持ちレジに移動する際の振動だけでブザー２９がなり、または閉店後の消灯による暗を検出しただけでブザー２９をなるといった不適切な場面の警報を防止することができる。
【００４１】
この発明は、上記実施の形態に限定されず、様々な変形及び応用が可能である。上記の実施形態では、第１電極２１と第２電極２２との間に電流を流す導体としてアルミテープ６２を例に挙げて説明したが、電気を通す導体であれば他の金属や材質のものであってもよい。
【００４２】
また、段ボール７０と梱包バンド６０との間に差し込むための傾斜面が２つ形成されていると説明したが、傾斜面の個数は１つ、又は３つであってもよいし、４つの面全てを傾斜面としてもよい。
【００４３】
また、盗難警報装置１は警報音を発するブザー２９を有していると説明したが、その他の警報を発する警報機を備えていてもよい。例えば、警報機として発光ランプを備えこの発光ランプを点滅させて警報を報知する態様であってもよいし、店員の端末機に警報信号を送信する態様であってもよいし、これらの警報機を複数有していてもよい。
【００４４】
また、盗難警報装置１に、他の警報システムをさらに組み入れてもよい。例えば、出入口に設置されたゲートの前を通る際に、警報を解除されていない盗難警報装置１が通ると、ゲートが警報音を発するシステムを盗難警報装置１に組み入れていてもよい。
【００４５】
また、包装容器の一例として段ボールを例に説明したが、他の容器にも同様に適用でき、紙パックの容器や、木製の容器、プラスチックの容器等、種々の容器に適用することができる。
【００４６】
また、上記の実施形態では、盗難警報装置１は、アルミテープ６２が貼り付けられた梱包バンド６０を含むようには説明しなかった。しかしながら、盗難警報装置として、上述の盗難警報装置１と梱包バンド６０とを備えていてもよい。
【符号の説明】
【００４７】
１      盗難警報装置
１０      基板収容ケース
１１      底面スイッチ
１４ａ、１４ｂ  傾斜面
２０      検出基板
２１      第１電極
２２      第２電極
２７      タッチセンサ
２８      導通センサ
２９      ブザー
３０      蓋ケース
３１      開閉蓋
６０      梱包バンド
６２      アルミテープ
７０      段ボール
【図１】
2018077745.tif 000003
【図２】
2018077745.tif 000004
【図３】
2018077745.tif 000005
【図４】
2018077745.tif 000006
【図５】
2018077745.tif 000007
【図６】
2018077745.tif 000008
【図７】
2018077745.tif 000009
【図８】
2018077745.tif 000010